(57)【要約】【課題】  リードナットの可動限界を越えたロック現象を防止すること。【解決手段】  球面収差補正レンズを支持するレンズホルダに連結されたリードナット８と、該リードナット８に螺合するリードスクリュー１２とを有し、リードナット８を一つ割り状にすることにより、該リードナット８のねじ孔８ｃの口径が拡縮径可能に形成され、一対の拡径ブロック１４に一体突設した円筒部１４ａがリードスクリュー１２の両端近傍に遊嵌合されており、その各円筒部１４ａのテーパ状外周面２７にリードナット８の各テーパ状内周面２６を当接させることにより、そのリードナット８のねじ孔８ｃを拡径させるようにした。【選択図】        図４
2009104688.tif 000002
【特許請求の範囲】
【請求項１】
ディスクの半径方向に沿って移動可能なスライドベースに対物レンズとレーザダイオー
ドとを備えた光ピックアップが設けられ、前記対物レンズとレーザダイオードとの間に光
軸が一致するように配置した球面収差補正レンズの位置を制御するための球面収差補正機
構が、前記スライドベースに固定したベース板と、該ベース板にスライド可能に係合させ
たリードナットと、該リードナットに連結された状態で球面収差補正レンズを支持するレ
ンズホルダと、前記リードナットに螺合するリードスクリューと、前記ベース板に固定さ
れてリードスクリューを正逆回転させる駆動モータとを有しており、前記レーザダイオー
ドから球面収差補正レンズ及び対物レンズを通ってレーザ光をディスクに投射すると共に
、球面収差補正機構の駆動モータでリードスクリューを正逆回転させることによりリード
ナットを前後進させレンズホルダを介して球面収差補正レンズを光軸に沿って往復移動さ
せて球面収差を補正し、ディスクからの反射光に基づいて該ディスクに記録されている情
報を読み取るようにした光ディスク装置において、前記リードナットを一つ割り状にする
ことにより、該リードナットのねじ孔の口径が拡縮径可能に形成され、前記リードスクリ
ューの両端近傍に一対の拡径ブロックが設けられており、該各拡径ブロックにリードナッ
トを当接させることにより、該リードナットのねじ孔を拡径させるようにしたことを特徴
とする光ディスク装置。
【請求項２】
前記ねじ孔の両端部に外広がりのテーパ状内周面が形成され、前記各拡径ブロックに一
体突設した円筒部がリードスクリューの両端近傍に遊嵌合され、該各円筒部の先端面が先
すぼまりのテーパ状外周面とされており、その各円筒部のテーパ状外周面にリードナット
の各テーパ状内周面を当接させることにより、そのリードナットのねじ孔を拡径させるよ
うにしたことを特徴とする請求項１に記載の光ディスク装置。
【請求項３】
前記球面収差補正レンズがコリメータレンズで形成されていることを特徴とする請求項
１または２に記載の光ディスク装置。
【発明の詳細な説明】
【技術分野】
【０００１】
本発明は、例えばＢｌｕ−ｒａｙ  Ｄｉｓｃ式のプレーヤやレコーダなどの光ディスク
装置に関し、特に、リードナットの可動限界を越えたロック現象を防止できるようにした
ものである。
【背景技術】
【０００２】
図６の概略図は光ディスク装置の一例を示すものであり、これは、Ｂｌｕ−ｒａｙ  Ｄ
ｉｓｃ式のプレーヤ（またはレコーダ）であって、ディスクＤの半径方向に沿って移動可
能なスライドベース１に対物レンズＯＬとレーザダイオードＬＤとを備えた光ピックアッ
プ２が設けられ、球面収差補正機構３により往復移動される球面収差補正レンズ４が対物
レンズＯＬとレーザダイオードＬＤとの間に光軸Ｏが一致するように配置されている。な
お、５は立上げミラーである。
【０００３】
従来の球面収差補正機構３の一例を図７（ａ）の一部切欠き底面図及び図７（ｂ）の同
横断面図に基づいて説明すると、前記スライドベース１に固定したベース板７と、外周面
に突設したレバー部８ａを前記ベース板７に形成した光軸Ｏと平行する長孔状ガイド孔９
にスライド可能に係合させたリードナット８と、該リードナット８に連結された状態で前
記球面収差補正レンズ４を支持するレンズホルダ１０と、ベース板７に一体突設した一対
の起立板７ａ，７ｂのうちその一方の起立板７ａの溝部１１を通って他方の起立板７ｂに
接近した状態で前記リードナット８に螺合するリードスクリュー１２と、一方の起立板７
ａに固定されてリードスクリュー１２を正逆回転させるステッピングモータからなる駆動
モータ１３とを有している。
【０００４】
情報読取手順を説明すると、レーザダイオードＬＤから球面収差補正レンズ４及び対物
レンズＯＬを通る光軸Ｏに沿ってレーザ光をディスクＤに投射すると共に、駆動モータ１
３を駆動してリードスクリュー１２を正逆回転させることによりリードナット８を前後進
ａ，ｂさせ、レンズホルダ１０を介して球面収差補正レンズ４を光軸Ｏに沿って往復移動
させて球面収差を補正し、ディスクＤの各記録面で反射される反射光に基づいてその各記
録面に記録されている情報を読み取り、再生や録画を行なう。なお、関連する技術として
特許文献１に記載したものがある。
【特許文献１】特開２００６−３４４２７４号公報
【発明の開示】
【発明が解決しようとする課題】
【０００５】
上記従来の構成では、ノイズやバグなどで制御回路に異常信号が流れることにより駆動
モータ１３に駆動電流が流れ続けるような事故が生じた場合、リードナット８が可動限界
を越えて前進ａまたは後進ｂされて起立板７ａ，７ｂに圧接されることにより、該リード
ナット８の締め込み過ぎによるロック現象が生じ、リードスクリュー１２を逆方向に回転
させても、そのリードナット８が正常位置に戻らなくなって復帰不能状態になることがあ
った。
【０００６】
本発明は、上記従来の欠点に鑑み、リードナットの可動限界を越えたロック現象を防止
することができるようにした光ディスク装置を提供することを目的としている。
【課題を解決するための手段】
【０００７】
上記目的を達成するため、請求項１に記載の発明は、ディスクの半径方向に沿って移動
可能なスライドベースに対物レンズとレーザダイオードとを備えた光ピックアップが設け
られ、前記対物レンズとレーザダイオードとの間に光軸が一致するように配置した球面収
差補正レンズの位置を制御するための球面収差補正機構が、前記スライドベースに固定し
たベース板と、該ベース板にスライド可能に係合させたリードナットと、該リードナット
に連結された状態で球面収差補正レンズを支持するレンズホルダと、前記リードナットに
螺合するリードスクリューと、前記ベース板に固定されてリードスクリューを正逆回転さ
せる駆動モータとを有しており、前記レーザダイオードから球面収差補正レンズ及び対物
レンズを通ってレーザ光をディスクに投射すると共に、球面収差補正機構の駆動モータで
リードスクリューを正逆回転させることによりリードナットを前後進させレンズホルダを
介して球面収差補正レンズを光軸に沿って往復移動させて球面収差を補正し、ディスクか
らの反射光に基づいて該ディスクに記録されている情報を読み取るようにした光ディスク
装置において、前記リードナットを一つ割り状にすることにより、該リードナットのねじ
孔の口径が拡縮径可能に形成され、前記リードスクリューの両端近傍に一対の拡径ブロッ
クが設けられており、該各拡径ブロックにリードナットを当接させることにより、該リー
ドナットのねじ孔を拡径させるようにしたことを特徴としている。
【０００８】
請求項２に記載の発明は、請求項１に記載の発明において、前記ねじ孔の両端部に外広
がりのテーパ状内周面が形成され、前記各拡径ブロックに一体突設した円筒部がリードス
クリューの両端近傍に遊嵌合され、該各円筒部の先端面が先すぼまりのテーパ状外周面と
されており、その各円筒部のテーパ状外周面にリードナットの各テーパ状内周面を当接さ
せることにより、そのリードナットのねじ孔を拡径させるようにしたことを特徴としてい
る。
【０００９】
請求項３に記載の発明は、請求項１または２に記載の発明において、前記球面収差補正
レンズがコリメータレンズで形成されていることを特徴としている。
【発明の効果】
【００１０】
請求項１に記載の発明によれば、ノイズやバグなどで制御回路に異常信号が流れること
により駆動モータに駆動電流が流れ続けて、リードナットが可動限界を越えて前進または
後進されたとしても、該リードナットのねじ孔が拡径ブロックにより拡径されるから、そ
のリードナットの締め込み過ぎによるロック現象を防止することができ、この状態からリ
ードスクリューを逆方向に回転させることにより、リードナットを正常位置に容易に戻し
て復帰不能状態を回避することができる。
【００１１】
請求項２に記載の発明によれば、リードスクリューの両端近傍に遊嵌合する各円筒部の
テーパ状外周面にリードナットの各テーパ状内周面を当接させることにより、そのリード
ナットのねじ孔を円滑に拡径させることができる。
【００１２】
請求項３に記載の発明によれば、球面収差補正レンズがコリメータレンズで形成されて
おり、経済性に優れている。
【発明を実施するための最良の形態】
【００１３】
図１〜図５は本発明の実施の一形態である光ディスク装置を示すものであって、図１は
同球面収差補正機構の底面図、図２は図１のＡ−Ａ矢視図、図３は同要分解斜視図、図４
は同要部の分解斜視図、図５は同拡大縦断面図である。
【００１４】
図１〜図５に示すように、リードナット８に切れ目８ｂを入れて該リードナット８を一
つ割り状にすることにより、そのリードナット８のねじ孔８ｃの口径ｋが拡縮径可能に形
成され、リードスクリュー１２の両端近傍に一対の拡径ブロック１４が設けられている。
上記以外の構成は図６及び図７に示す構成とほぼ同じであるから、同一部分に同一符号を
付してその説明を省略する。
【００１５】
図１及び図２に示すように、ベース板７は、金属板からなり、該ベース板７の両端に貫
設した貫通孔１６を通ってビス１７をスライドベース１のねじ孔にねじ込むことにより、
該ベース板７がスライドベース１に固定され、そのベース板７にガイドロッド１８と補助
ロッド１９とが光軸Ｏと平行して固定されている。
【００１６】
図１〜図３に示すように、レンズホルダ１０は、矩形ブロック状ホルダ本体１０ａと、
該ホルダ本体１０ａから両側方に延びる一対の翼板１０ｂ，１０ｃとを有し、ホルダ本体
１０ａに貫設したホルダ孔２０がガイドロッド１８に移動可能に嵌合され、一方の翼板１
０ｂに球面収差補正レンズ４が取り付けられ、他方の翼板１０ｃの中央に形成した凹部２
１が隙間をおいてリードスクリュー１２に遊嵌合されると共に、その他方の翼板１０ｃの
先端に形成したＵ字溝２２が補助ロッド１９に移動可能に嵌合されている。
【００１７】
図１及び図３に示すように、他方の翼板１０ｃをリードナット８に押し付けるためのス
ラスト与圧ばね２４がガイドロッド１８に遊嵌合されており、このスラスト与圧ばね２４
でレンズホルダ１０の他方の翼板１０ｃをリードナット８に押し付けることにより、スラ
スト方向に沿ってリードスクリュー１２とリードナット８との間の隙間による遊びを実質
的にゼロにしている。
【００１８】
図４及び図５に示すように、前記リードナット８は、ポリアセタール樹脂などの弾性変
位可能な合成樹脂で成形されると共に、そのねじ孔８ｃの両端部を削ることにより外広が
りのテーパ状内周面２６が形成され、前記各拡径ブロック１４に一体突設した円筒部１４
ａがリードスクリュー１２の両端近傍に遊嵌合され、該各円筒部１４ａの先端面が先すぼ
まりのテーパ状外周面２７とされている。なお、図４中、２８は各拡径ブロック１４を各
起立板７ａ，７ｂに固定するためのビスである。
【００１９】
拡径手順を説明すると、球面収差補正機構３による通常動作では、リードナット８が可
動限界を越えない限り各拡径ブロック１４の円筒部１４ａに接触されることはない。
【００２０】
しかし、リードスクリュー１２を正転させてリードナット８を可動限界を越えて前進ａ
させ過ぎた場合には、図５に二点鎖線で示すように、リードナット８の前側テーパ状内周
面２６が前側円筒部１４ａのテーパ状外周面２７に当接して、該リードナット８のねじ孔
８ｃが拡径され、そのリードナット８が歯飛びして１ピッチ分だけ下がって締め込み過ぎ
現象を防止する。
【００２１】
また、上記とは逆に、リードスクリュー１２を逆転させてリードナット８を可動限界を
越えて後進ｂさせ過ぎた場合には、図５に一点鎖線で示すように、リードナット８の後側
テーパ状内周面２６が後側円筒部１４ａのテーパ状外周面２７に当接して、該リードナッ
ト８のねじ孔８ｃが拡径され、そのリードナット８が歯飛びして１ピッチ分だけ下がって
締め込み過ぎ現象を防止する。
【００２２】
上記構成によれば、ノイズやバグなどで制御回路に異常信号が流れることにより駆動モ
ータ１３に駆動電流が流れ続けて、リードナット８が可動限界を越えて前進ａまたは後進
ｂされたとしても、該リードナット８のねじ孔８ｃが拡径ブロック１４により拡径される
から、そのリードナット８の締め込み過ぎによるロック現象を防止することができ、この
状態からリードスクリュー１２を逆方向に回転させることにより、リードナット８を正常
位置に容易に戻して復帰不能状態を回避することができる。
【００２３】
また、リードスクリュー１２の両端近傍に遊嵌合する各円筒部１４ａのテーパ状外周面
２７にリードナット８の各テーパ状内周面２６を当接させることにより、そのリードナッ
ト８のねじ孔８ｃを円滑に拡径させることができる。
【００２４】
上記構成において、球面収差補正レンズ４がコリメータレンズで形成されていてもよく
、これによれば、経済性に優れている。
【図面の簡単な説明】
【００２５】
【図１】本発明の実施の一形態である光ディスク装置の球面収差補正機構を示す底面図である。
【図２】図１のＡ−Ａ矢視図である。
【図３】同要分解斜視図である。
【図４】同要部の分解斜視図である。
【図５】同拡大縦断面図である。
【図６】光ディスク装置の一例を示す概略図である。
【図７】（ａ）は従来例を示す一部切欠き底面図、（ｂ）の同横断面図である。
【符号の説明】
【００２６】
１          スライドベース
２          光ピックアップ
３          球面収差補正機構
４          球面収差補正レンズ
７          ベース板
８          リードナット
８ｂ        リードナットの切れ目
８ｃ        リードナットのねじ孔
１０        レンズホルダ
１２        リードスクリュー
１３        駆動モータ
１４        拡径ブロック
１４ａ      拡径ブロックの円筒部
２６        リードナットのテーパ状内周面
２７        円筒部のテーパ状外周面
Ｄ          ディスク
ＯＬ        対物レンズ
ＬＤ        レーザダイオード
Ｏ          光軸
ｋ          ねじ孔の口径
【図１】
2009104688.tif 000003
【図２】
2009104688.tif 000004
【図３】
2009104688.tif 000005
【図４】
2009104688.tif 000006
【図５】
2009104688.tif 000007
【図６】
2009104688.tif 000008
【図７】
2009104688.tif 000009